(57)【要約】【課題】既設のケーブルラックの下方に新たなケーブルラックを増設する際に、素早く容易にケーブルラックやサポート材を増設することができるケーブルラック及びサポート材増設用支持金具を提供する。【解決手段】側面略コ字状の係止金具１１と、吊りボルトＲの両側面から吊りボルトＲを挟着する一対の挟着金具１２とを設ける。挟着金具１２で係止金具１１と共に吊りボルトＲ側面を挟着して固定する。一方、挟着固定部材１０から吊りボルトＲの下端部下方に延長される連結支持部材２０を設ける。連結支持部材２０に懸吊された増設用の吊りボルトＲ１に、増設用のサポート材Ｑ１等を装着する。この連結支持部材２０に、サポート材Ｑの端部等が当らないように回避する側面略ループ形状の連結金具２１を設ける。【選択図】  図１
2007306653.tif 000002
【特許請求の範囲】
【請求項１】
ケーブルラック又は該ケーブルラックが載置固定されるサポート材を懸吊している吊りボルトに装着し、該吊りボルトの下方に増設用の吊りボルトを連結支持する増設用支持金具において、既設の吊りボルトの側面を挟着して固定する挟着固定部材と、該挟着固定部材から吊りボルトの下方に延長され、増設用の吊りボルトを連結支持する連結支持部材とからなり、該連結支持部材で支持された吊りボルトに増設用のケーブルラック又は増設用のサポート材を装着することを特徴とするケーブルラック及びサポート材増設用支持金具。
【請求項２】
前記挟着固定部材は、既設の吊りボルトの一側面のネジ山に係止する側面略コ字状の係止金具と、前記連結支持部の上端に設けられ、吊りボルトの両側面から吊りボルトを挟着する一対の挟着金具とから成り、該挟着金具で係止金具と共に吊りボルト側面を挟着するように、これら挟着金具と係止金具とを貫通する固定ボルトで固定する請求項１記載のケーブルラック及びサポート材増設用支持金具。
【請求項３】
前記挟着金具は、吊りボルトの前記係止金具に重合する係止部と、該係止部に対峙する当接部とから成り、係止部側から当接部に挿通した前記固定ボルトを当接部側で緊締するように設けた請求項２記載のケーブルラック及びサポート材増設用支持金具。
【請求項４】
前記連結支持部材は、吊りボルトを挟着する前記挟着金具の下方に延長形成され、サポート材の端部又はケーブルラック直付け用の支持金具が当らないように回避する側面略ループ形状の連結金具を形成し、該連結金具の下端部に増設用の吊りボルトを挿入する挿入孔を開穿し、該挿入孔の上下に配した固定ナットで増設用の吊りボルトを連結支持部材に固定する請求項１乃至３いずれか記載のケーブルラック及びサポート材増設用支持金具。
【請求項５】
前記連結支持部材は、前記挟着金具から下方に延長形成され、サポート材の端部又はケーブルラック直付け用の支持金具が当らないように回避する側面略Ｌ字形状の連結金具を形成した請求項１又は４記載のケーブルラック及びサポート材増設用支持金具。
【発明の詳細な説明】
【技術分野】
【０００１】
本発明は、たとえばマンションや工場等の改修工事に伴い、電力ケーブルの増設が必要になった場合に、新たにケーブルラック等を増設するのに好適なケーブルラック及びサポート材増設用支持金具に関する。
【背景技術】
【０００２】
近年、情報技術の発達により通信機器が広く普及し、通信ケーブル等の弱電流電線の使用数が増加傾向にある。また、病院の医療設備や工場などの生産設備の増加に伴い、電力ケーブルの増設が必要になってきている。そのため、新たにケーブルラック等を増設する改修工事が多くなっている。
【０００３】
従来の工事でケーブルラックを増設する際に、主に次のような支持金具が用いられている。第１に、既設のケーブルラックの上に、更にケーブルラックを増設する工事に使用される中間支持金具。この中間支持金具は、既設のケーブルラックを懸吊している吊りボルトの上部側面に装着するもので、この中間支持金具にサポート材を架設し、このサポート材上にケーブルラックを載置固定するものである。
【０００４】
第２に、既設のケーブルラックの下に、更にケーブルラックを増設する場合に使用される高ナットや窓付きナット。これらのナットは、既設のケーブルラックが載置されているサポート材を既設の吊りボルトが貫通している場合に使用するもので、サポート材を貫通した吊りボルトの下端に、高ナットや窓付きナットをネジ止めし、更にこれらのナットに増設用の吊りボルトをネジ止めしてケーブルラックやサポート材を増設するものである。
【０００５】
第３に、既設のケーブルラックの下に更にケーブルラックを増設する場合で、しかも、既設の吊りボルトがサポート材を貫通していない場合に使用するアンカーボルト。このアンカーボルトは、既設の吊りボルトの下端部に、前記高ナットや窓付きナットをネジ止めできない場合に使用するもので、天井スラブに増設用のアンカーを打ち込み、新たな吊りボルトを吊り下げることで、ケーブルラック等を増設するものである。実際の増設工事では、このアンカーボルトの使用が最も多くなっている。
【０００６】
一方、当出願人は特許文献１に示す如く、ケーブルラックを直吊りする吊り金具を先に提案している。この吊り金具は、サポート材を使用せずに、吊りボルトでケーブルラックを直接支持するように構成されている。
【特許文献１】実公平２−４６１９２号公報
【発明の開示】
【発明が解決しようとする課題】
【０００７】
従来の支持金具を使用した増設工事には、それぞれ次のような不都合が伴っている。すなわち、高ナットを使用した増設工事では、これらのナットにねじ込んだ吊りボルトの挿入状態を確認することができないので安全確認に課題を有している。また、高ナットや窓付きナットを使用した場合、増設するケーブルラック等の荷重は、全て高ナットや窓付きナットへのねじ込みのみの固定となるから、振動等による脱落の虞や施工不良の発生が多くなるなどの不都合も生じている。更に、サポート材の下方に吊りボルトが貫通していても、既設の吊りボルトの下端部は、水滴等が最も付着し易い部分なので錆等の発生が多くなっている。そのため、この錆等によって高ナットや窓付きナットの装着ができないケースも多い。
【０００８】
また、アンカーボルトを使用する増設工事の場合は、天井スラブに新たなアンカーボルトを固定する作業が必要になる。そのため、アンカーボルトの位置決めや、穴開け作業、あるいはアンカーボルトの打ち込み作業など多くの作業が必要になり、極めて多くの作業時間を要するものになる。また、これらの作業に伴って、電気ドリルやハンマーなどの工具を準備する手間も生じ、ケーブルラックを増設するまでに極めて多くの手間を要する工事となっていた。
【０００９】
一方、特許文献１の吊り金具において、ケーブルラックを直吊りした吊りボルトの下端部に、前記高ナットや窓ナットを連結することも可能であるが、これら高ナットや窓ナットが有する前述の問題点を解消することはできない。
【００１０】
そこで本発明は上述の課題を解消すべく創出されたもので、既設のケーブルラックの下方に新たなケーブルラックを増設する際に、たとえサポート材の下方に吊りボルトが貫通していない状態や、吊りボルトがケーブルラックを直吊りする支持金具を使用している場合などでも、素早く容易にケーブルラックやサポート材を増設することができるケーブルラック及びサポート材増設用支持金具の提供を目的とするものである。
【課題を解決するための手段】
【００１１】
上述の目的を達成すべく本発明における第１の手段は、ケーブルラックＰ又は該ケーブルラックＰが載置固定されるサポート材Ｑを懸吊している吊りボルトＲに装着し、該吊りボルトＲの下方に増設用の吊りボルトＲ１を連結支持する増設用支持金具において、既設の吊りボルトＲの側面を挟着して固定する挟着固定部材１０と、該挟着固定部材１０から吊りボルトＲの下方に延長され、増設用の吊りボルトＲ１を連結支持する連結支持部材２０とからなり、該連結支持部材２０で支持された吊りボルトＲに増設用のケーブルラックＰ１又は増設用のサポート材Ｑ１を装着することにある。
【００１２】
第２の手段の前記挟着固定部材１０は、既設の吊りボルトＲの一側面のネジ山に係止する側面略コ字状の係止金具１１と、前記連結支持部２０の上端に設けられ、吊りボルトＲの両側面から吊りボルトＲを挟着する一対の挟着金具１２とから成り、該挟着金具１２で係止金具１１と共に吊りボルトＲ側面を挟着するように、これら挟着金具１２と係止金具１１とを貫通する固定ボルト１３で固定するものである。
【００１３】
第３の手段の前記挟着金具１２は、吊りボルトＲの前記係止金具１１に重合する係止部１２Ａと、該係止部１２Ａに対峙する当接部１２Ｂとから成り、係止部１２Ａ側から当接部１２Ｂに挿通した前記固定ボルト１３を当接部１２Ｂ側で緊締するように設けている。
【００１４】
第４の手段の前記連結支持部材２０は、吊りボルトＲを挟着する前記挟着金具１２の下方に延長形成され、サポート材Ｑの端部又はケーブルラックＰ直付け用の支持金具Ｓ１が当らないように回避する側面略ループ形状の連結金具２１を形成し、該連結金具２１の下端部に増設用の吊りボルトＲ１を挿入する挿入孔２２を開穿し、該挿入孔２２の上下に配した固定ナット２３で増設用の吊りボルトＲ１を連結支持部材２０に固定するものである。
【００１５】
第５の手段の前記連結支持部材２０は、前記挟着金具１２から下方に延長形成され、サポート材Ｑの端部又はケーブルラックＰ直付け用の支持金具Ｓ１が当らないように回避する側面略Ｌ字形状の連結金具２１を形成したことを課題解消のための手段とする。
【発明の効果】
【００１６】
本発明の請求項１によると、吊りボルトＲの側面を挟着して固定する挟着固定部材１０と、該挟着固定部材１０から吊りボルトＲの下端部下方に延長され、増設用の吊りボルトＲ１を連結支持する連結支持部材２０とを設けたことで、素早く容易にケーブルラックやサポート材を増設することができる。
【００１７】
請求項２、３によると、吊りボルトＲの一側面のネジ山に係止する側面略コ字状の係止金具１１と吊りボルトＲを挟着する一対の挟着金具１２とを貫通する固定ボルト１３で固定する挟着固定部材１０により、サポート材の下方に既設の吊りボルトが貫通していない状態や、貫通していても吊りボルト下端に錆が生じている場合などでも、挟着固定部材１０を素早く容易に固定することができる。
【００１８】
請求項４では、サポート材Ｑの端部又はケーブルラックＰ直付け用の支持金具Ｓ１が当らないように回避する側面略ループ形状の連結金具２１を連結支持部材２０に形成しているので、サポート材Ｑや直吊り用の支持金具Ｓの有無にかかわらず、素早く容易にケーブルラックやサポート材を増設することができる。しかも、増設用のケーブルラックＰ１やサポート材Ｑ１は、この連結支持部材２０と挟着固定部材１０とを介して吊りボルトＲで支持することになるから、ケーブルラックＰの支持にサポート材Ｑを利用している場合でも、このサポート材Ｑの既設重量を考慮する必要がなく、強度計算の手間を省くことができる。
【００１９】
請求項５により、サポート材Ｑの端部又はケーブルラックＰ直付け用の支持金具Ｓ１が当らないように回避する側面略Ｌ字形状を成した連結支持部材２０を使用することで、既設のサポート材Ｑをあらゆる方向で回避しながら増設工事が行える。この結果、たとえば壁面とサポート材Ｑの端部とが密着するような箇所でも施工可能となる。また、サポート材Ｑに、複数の振れ止め金具Ｔが装着されていても、この側面略Ｌ字形状を成した連結支持部材２０によって、これらの振れ止め金具Ｔを回避しながら増設することも可能である。
【００２０】
このように本発明によると、既設のケーブルラックの下方に新たなケーブルラックを増設する際に、たとえサポート材の下方に吊りボルトが貫通していない状態や、吊りボルトがケーブルラックを直吊りする支持金具を使用している場合などでも、素早く容易にケーブルラックやサポート材を増設することができるなどといった種々の効果を奏するものである。
【発明を実施するための最良の形態】
【００２１】
本発明支持装置の最良の形態は、吊りボルトＲの側面を挟着して固定する挟着固定部材１０を設ける。この挟着固定部材１０は、側面略コ字状の係止金具１１と、吊りボルトＲの両側面から吊りボルトＲを挟着する一対の挟着金具１２とから成る。挟着金具１２で係止金具１１と共に吊りボルトＲ側面を挟着し、固定ボルト１３で固定する。一方、挟着固定部材１０から吊りボルトＲの下端部下方に延長される連結支持部材２０を設ける。連結支持部材２０に懸吊された増設用の吊りボルトＲ１に、増設用のケーブルラックＰ１又は増設用のサポート材Ｑ１を装着する。この連結支持部材２０に、サポート材Ｑの端部又はケーブルラックＰ直付け用の支持金具Ｓ１が当らないように回避する側面略ループ形状の連結金具２１を設けることで、当初の目的を達成するものである。
【実施例】
【００２２】
以下、本発明の一実施例を説明する。本発明支持金具は、ケーブルラックＰや該ケーブルラックＰが載置固定されるサポート材Ｑを懸吊している吊りボルトＲに装着することで、該吊りボルトＲの下端に増設用の吊りボルトＲ１を連結支持する増設用支持金具として使用する。そして、本発明の基本構成は、挟着固定部材１０と連結支持部材２０とからなる。以下、各部材を詳細に説明する。
【００２３】
挟着固定部材１０は、ケーブルラックＰ又はサポート材Ｑの上部に位置する吊りボルトＲの側面を挟着して固定する部材である（図１参照）。この挟着固定部材１０は、吊りボルトＲの一側面のネジ山に係止する側面略コ字状の係止金具１１と、前記連結支持部２０の上端に設けられ、吊りボルトＲの両側面から吊りボルトＲを挟着する一対の挟着金具１２とから成る。そして、この挟着金具１２で係止金具１１と共に吊りボルトＲ側面を挟着するように配し、これら挟着金具１２と係止金具１１とを貫通する左右一対の固定ボルト１３で固定する。
【００２４】
挟着金具１２は、前記係止金具１１に重合して吊りボルトＲの一側面がわに圧着する平面略コ字状の係止部１２Ａと、この係止部１２Ａに対峙して吊りボルトＲの他側面がわに当接する当接部１２Ｂとから成る。そして、係止部１２Ａ側から当接部１２Ｂに挿通した前記固定ボルト１３を当接部１２Ｂ側で緊締するように設けている。図１に示す当接部１２Ｂは、固定ボルト１３のネジ止めを容易にするために、ネジ孔１２Ｃを設けている。
【００２５】
一方、係止部１２Ａの内側に重ねる係止金具１１の形状は、側面略コ字状を成す独立した金具である（図１参照）。図示例では、係止金具１１の上下に一対の係止端部１１Ｂを屈曲形成し、該係止端部１１Ｂに切り欠き部１１Ａを形成している。この切り欠き部１１Ａの内部に吊りボルトＲが嵌入することで、係止金具１１の係合力を高めている。このとき、上部の係止端部１１Ｂに重合する係止部１２Ａにも切り欠きを設けることで、係止金具１１の切り欠き部１１Ａに吊りボルトＲ側面が確実に嵌入できるようにしている。更に、吊りボルトＲの径に合わせた係止金具１１を設けておくことで、挟着金具１２を変えることなく異径の吊りボルトＲに使用可能となる。
【００２６】
また、図３（a）,（b）及び図４（a）,（b）は、挟着金具１２の他の実施例を示している。これらの実施例では、係止金具１１を使用せずに、側面略Ｌ字状に屈曲した挟着金具１２の端部で吊りボルトＲを挟着するものである。この場合、挟着金具１２に設けた切欠き部１２Ｄが吊りボルトＲの側面に係合する。そして、係止部１２Ａを貫通する固定ボルト１３で挟着金具１２を固定するものである。このとき、切欠き部１２Ｄを挟着金具１２の一方にのみ設けておき、他方の挟着金具１２を、前記図２に示す当接部１２Ｂの如き板状に形成することも可能である。
【００２７】
連結支持部材２０は、挟着固定部材１０から吊りボルトＲの下端部下方に延長され、増設用の吊りボルトＲ１を連結支持する部材である。更に、連結金具２１の下端部に増設用吊りボルトＲ１を挿入する挿入孔２２を開穿し、該挿入孔２２の上下に配した固定ナット２３で連結支持部材２０に増設用の吊りボルトＲ１を固定する。そして、連結支持部材２０で支持された吊りボルトＲ１に増設用のケーブルラックＰ１や増設用のサポート材Ｑ１を装着するものである（図７参照）。
【００２８】
図１乃至図４は、連結支持部材２０に側面略ループ形状の連結金具２１を設けた例を示している。すなわち、この連結支持部材２０は、吊りボルトＲの両側面を挟着する前記挟着金具１２の下方に延長され、サポート材Ｑの端部又はケーブルラックＰ直付け用の支持金具Ｓ１が当らないように回避する側面略ループ形状の連結金具２１を形成している。そして、連結金具２１の下端部に増設用の吊りボルトＲ１を挿入する挿入孔２２を開穿し、この挿入孔２２の上下に配した固定ナット２３で増設用の吊りボルトＲ１を連結支持部材２０に固定するようにしている。図１及び図３、４は、サポート材Ｑを回避した装着例を示している。一方、図２は、ケーブルラックＰを直吊りする支持金具Ｓ１を回避して装着した例を示している。
【００２９】
このとき、図１、２に示す連結支持部材２０には、連結金具２１と挟着金具１２との強度を高める補強ビード２４を設けている（図１参照）。この補強ビード２４は、連結金具２１の屈曲部に設けることも可能である（図２参照）。また、図示の連結金具２１のループ形状を成した側縁に沿って、補強側縁２５を屈曲形成することで、連結金具２１の強度を高めている。また、連結金具２１の形状はループ形状であればよく、例えば図３に示す如く、シンプルで幅広の連結金具２１により、加工性や施工性を良好にしたり、図４に示す如く、連結金具２１の下部を内側に絞って強度を高めたりするなど、連結金具２１の形状や、補強ビード２４、補強側縁２５等の選択は自由である。
【００３０】
図５は、連結支持部材２０の他の実施例を示している。すなわち、この連結支持部材２０は、吊りボルトＲの両側面から吊りボルトＲを挟着する一対の挟着金具１２から下方に延長され、サポート材Ｑの端部又はケーブルラックＰ直付け用の支持金具Ｓ１が当らないように回避する側面略Ｌ字形状を成している。図示例では、１枚の金属板を対称形状に屈曲して側面略コ字状の支持金具を形成し、挟着固定部材１０の下部に側面略Ｌ字形状の連結支持部材２０を連続形成したものである（図５（b）参照）。挟着固定部材１０は、切欠き部１２Ｄを設けた一対の挟着金具１２が吊りボルトＲを挟着し、この挟着金具１２に開穿したネジ孔１２Ｃに固定ボルト１３を通してネジ止めするものである。また、連結金具２１の下端に設けた挿入孔２２に吊りボルトＲ１を挿通して上下一対の固定ナット２３で固定する（図５（a）参照）。
【００３１】
側面略Ｌ字形状の連結支持部材２０により、サポート材Ｑの端部又はケーブルラックＰ直付け用の支持金具Ｓ１が当らないように回避できることは勿論であるが、この形状を利用して、たとえば壁面とサポート材Ｑの端部とが密着するような箇所でも施工可能となる。また、図６に示す如く、サポート材Ｑに、複数の振れ止め金具Ｔが装着されていても、これらの振れ止め金具Ｔを回避しながら増設することも可能である。
図６（a）では、サポート材Ｑに、３方向から振れ止め金具Ｔが連結されているが、この連結支持部材２０では、これらの振れ止め金具Ｔを回避して装着することができる。
【００３２】
尚、本発明は、図示例に限定されるものではなく、挟着固定部材１０や連結支持部材２０、連結金具２１等の各構成部品の寸法や形状等の設計変更、および材質の変更など任意に行えるものであり、本発明の要旨を変更しない範囲において自由に変更できるものである。
【図面の簡単な説明】
【００３３】
【図１】本発明の一実施例を示す使用斜視図である。
【図２】本発明の他の使用状態を示す斜視図である。
【図３】本発明の他の実施例を示し（a）は使用側面図、（b）は斜視図である。
【図４】本発明の他の実施例を示し（a）は使用側面図、（b）は斜視図である。
【図５】本発明の他の実施例を示し（a）は使用側面図、（b）は斜視図である。
【図６】図５に示す実指令の使用状態を示し（a）は平面図、（b）は側面図である。
【図７】本発明を使用した施工例を示す正面図である。
【符号の説明】
【００３４】
Ｐ  ケーブルラック
Ｐ１  ケーブルラック（増設用）
Ｑ  サポート材
Ｑ１  サポート材（増設用）
Ｒ  吊りボルト
Ｒ１  吊りボルト（増設用）
Ｓ  支持金具  
Ｓ１  支持金具（直吊り用）  
Ｔ  振れ止め金具
１０  挟着固定部材
１１  係止金具
１１Ａ  切り欠き部
１１Ｂ  係止端部  
１２  挟着金具
１２Ａ 係止部
１２Ｂ  当接部
１２Ｃ ネジ孔
１２Ｄ  切り欠き部
１３  固定ボルト
２０  連結支持部材
２１  連結金具
２２  挿入孔
２３  固定ナット
２４  補強ビード
２５  補強側縁  
【図１】
2007306653.tif 000003
【図２】
2007306653.tif 000004
【図３】
2007306653.tif 000005
【図４】
2007306653.tif 000006
【図５】
2007306653.tif 000007
【図６】
2007306653.tif 000008
【図７】
2007306653.tif 000009